(57)【要約】      （修正有）【課題】釣り針をルアー本体へつなぐ輪状体の製造において、捻れや歪みを抑制できる構造を持つルアーを提供する。【解決手段】餌の形態を模したルアー本体１０と、そのルアー本体１０の後部からルアー本体１０の長手方向に延びてルアー本体１０の長手方向に沿う位置へ釣り針３０を保持するための保持部材２０と、その保持部材２０に保持される釣り針３０と、を備えるルアーである。保持部材２０は、熱可塑性樹脂の棒状体が二つの輪状体を離間させてなすように溶着して形成し、その輪状体のうちの一つに釣り針３０を保持するとともに、他の輪状体をルアー本体１０の一部が貫通することで保持部材２０および釣り針３０をルアー本体１０へ保持するように形成する。【選択図】図１
0003196689.tif 000002
【実用新案登録請求の範囲】
【請求項１】
餌の形態を模したルアー本体と、
そのルアー本体の後部からルアー本体の長手方向に延びてルアー本体の長手方向に沿う位置へ釣り針を保持するための保持部材と、
その保持部材に保持される釣り針と、
を備え、
前記の保持部材は、熱可塑性樹脂の棒状体が二つの輪状体を離間させてなすように溶着して形成し、
その輪状体のうちの一つに釣り針を保持するとともに、他の輪状体をルアー本体の一部が貫通することで保持部材および釣り針をルアー本体へ保持することとしたルアー。
【請求項２】
前記の保持部材には、前記の釣り針が保持部材の長手方向に移動できる距離を制限するための規制部を備えた請求項１に記載のルアー。
【請求項３】
前記のルアー本体における前記の保持部材とは別の位置に、前記の釣り針とは別の釣り針を備えた請求項１または請求項２のいずれかに記載のルアー。
【考案の詳細な説明】
【技術分野】
【０００１】
本考案は、小魚等の餌の形態を模したルアー本体に釣針を取り付けて形成されるルアーに関する。
【背景技術】
【０００２】
従来から、ルアーフィッシングにおいては、餌の形態を模した疑似餌本体（以下、ルアー本体と称する）に釣針を取り付けて成る釣用疑似餌（以下、ルアーと称する）が用いられる。このようなルアーは、ルアー本体および釣針の形態、ルアー本体に対する釣針の取り付け位置や取り付け形態などに関して様々なものが知られている。そして、いずれのルアーも、水中でのリーリングにより小魚が泳ぐような動きをルアーに与えて対象魚を誘い、ルアー本体を捕食しようとする対象魚をルアー本体の釣針に針掛かりさせる。
【０００３】
ルアー本体に対する釣針の取り付け位置や取り付け形態に関し、例えば特許文献１は、ルアー本体の後端に設けられる輪状体にフック用糸を介して釣り針（フック）を取り付けて成るルアーを開示している。
【０００４】
また、特許文献２は、リール本体の後端にフック状の釣針を揺動自在に直接に連結して成るルアーを開示しており、集魚効果を上げるために、ルアー後端に取り付けられた釣針のシャンク部のベント部側端部にシャンク部延長線方向に回転自在部品を介してブレードを取り付けている。
【０００５】
特許文献３では、捕食しにきた魚をルアー本体後方に設けられた釣針に効率良く針掛かりさせることができる釣用疑似餌を提供している。
【先行技術文献】
【特許文献】
【０００６】
【特許文献１】特開平１０−１１７６３９号公報
【特許文献２】特開２００８−５４５２３号公報
【特許文献３】特開２０１２−１０６４３号公報
【考案の概要】
【考案が解決しようとする課題】
【０００７】
特許文献３に開示された釣用疑似餌（ルアー）では、釣り針をルアー本体へつなぐ輪状体は、製造の容易さ、捕食時の柔軟性など、要求される様々な機能を実現するため、熱可塑性樹脂（多くはポリウレタン素材）にて形成される。すなわち、図３（ｂ）に示すように、押し出し成型によって形成された棒状体の両端を超音波にて溶着することで輪状体を製造している。
この製造方法およびルアー本体によると、輪状体が一平面に収まらず、図４に示すような捻れや歪み（ゆがみ）が発生する場合がある（図４）。この捻れや歪みが残った状態の輪状体にて釣り針をつなぐのは好ましくない。釣り針の動きが円滑ではなくなるからである。
また、同じルアーをバス釣りに用いたり、ナマズ釣りに用いたりしたい、といった使い分けをすることができれば好ましいのであるが、そのようなルアーは提供されていない。
【０００８】
本考案は、釣り針をルアー本体へつなぐ輪状体の製造において、捻れや歪みを抑制できる技術を提供することにある。
【課題を解決するための手段】
【０００９】
（第一の考案）
前記した課題を解決するために、以下の考案を提供する。
すなわち、餌の形態を模したルアー本体(10)と、  そのルアー本体(10)の後部からルアー本体(10)の長手方向に延びてルアー本体(10)の長手方向に沿う位置へ釣り針(30)を保持するための保持部材(20)と、  その保持部材(20)に保持される釣り針(30)と、を備えるルアーに係る。
前記の保持部材(30)は、熱可塑性樹脂の棒状体が二つの輪状体(22,23)を離間させてなすように溶着して形成し、  その輪状体のうちの一つ(22)に釣り針(30)を保持するとともに、他の輪状体(23)をルアー本体(10)の一部が貫通することで保持部材(20)および釣り針(30)をルアー本体へ保持するように形成する。
【００１０】
（作用）
熱可塑性樹脂の棒状体にて形成する輪状体が捻れる原因となっていた点溶着ではなく、二つの輪状体(22,23)を離間するように溶着することで、比較的長い部位（例えば、輪状体22,23の内径寸法ほど）を溶着することとなる。そのため、溶着によって形成される二つの輪状体(22,23)を一平面に納めやすく、捻れを抑制できる。
なお、溶着は、熱可塑性樹脂の棒状体の両端面を接触させた状態において、その接触した両端面を中心として所定距離が溶着部となるように溶着することが望ましい。
保持部材(20)にて形成された輪状体を移動可能な釣り針(30)は、針掛かりした魚が大きく暴れるなどして大きな負荷を受けた場合であっても、ルアー本体(10)から輪状体(22)が離間しているので、ルアー本体(10)側へ激しく衝突する事態を防止することができる。
【００１１】
（第一の考案のバリエーション１）
第一の考案は、以下のように形成するとより好ましい。
すなわち、前記の保持部材(20)には、前記の釣り針(30)が保持部材(20)の長手方向に移動できる距離を制限するための規制部(24)を備えるのである。
規制部(24)は、ルアー本体(10)の長手方向を水平とした場合に、釣り針(30)が垂れ下がるように、輪状体の一部を外側へ突出させる部位として形成することが最も簡潔な形成手段となる（図３参照）。
【００１２】
（作用）
保持部材(20)に規制部(24)を備えることで、ルアー本体(10)と釣り針(30)との距離を一定に保ちやすくなる。すなわち、移動可能に保持された釣り針(30)がルアー体側に大きく移動することを規制できる。したがって、釣り針(30)がルアー本体(10)に近づき過ぎること、たとえば釣り針(30)がルアー本体(10)の腹側に回り込むことによる針掛かり性能の低下を未然に防止できる。
規制部(24)が釣り針(30)の移動の障害となることにより、釣り針(30)がルアー本体(10)へ衝突する際の衝撃を低減し、衝撃に伴う魚の（身切れなどによる）針外れを防止することに寄与する。
なお、ルアー本体(10)に対して、規制部(24)を備えた保持部材(20)を採用する場合にはバス釣りに適しており、規制部(24)を備えない保持部材(20)を採用する場合にはナマズ釣りに適しているので、使い分けができるルアーを提供できることともなる。
【００１３】
（第一の考案のバリエーション２）
第一の考案は、以下のように形成するとより好ましい。
すなわち、前記のルアー本体(10)における前記の保持部材(20)とは別の位置に、前記の釣り針(30)とは別の釣り針(31)を備えるのである。
一般に、保持部材(20)を介して固定される釣り針は、ルアー本体(10)におけるラインアイから遠い場所に位置するようにしており、尾部側釣り針(30)となる。その尾部側釣り針(30)とは別の釣り針(腹部釣り針31)は、ラインアイとの間に位置することとなる。
【００１４】
（作用）
ルアー本体(10)には、二つの釣り針(30,31)が備えられるので、対象魚に捕食させる確率を高める。
なお、二つの釣り針(30,31)は、互いが絡みにくいように、所定の距離を保てる位置となるように配置されることが望ましい。
【考案の効果】
【００１５】
本考案によれば、釣り針をルアー本体へつなぐ輪状体の製造において、捻れや歪みを抑制できるルアーを提供できる。
【図面の簡単な説明】
【００１６】
【図１】本考案の一実施形態に係るルアーの斜視図である。
【図２】本考案の一実施形態に係るルアーの保持部材およびその製造手順を示す図である。
【図３】本考案の他の実施形態に係るルアーの斜視図である。
【図４】従来のルアーにおける問題点を示す図である。
【考案を実施するための形態】
【００１７】
以下、本考案に係るルアーの実施形態について、図１から図３（ａ）に基づいて説明する。
図１および図２は、本考案の第一の実施形態を示している。図１に示すように、第一実施形態に係るルアー本体１０は、餌（小魚、海老、あるいは、蝦蛄等の餌；本実施形態では小魚）の形態を模している。このルアー本体１０には、必要に応じて目や髭等が取り付けられ、色柄模様が付される。
【００１８】
ルアー本体１０の前端側下部には、水流抵抗を受けることによってルアーを潜行させたり、或いはルアーの所定の潜行姿勢を保持させたりするための抵抗板１２が設けられている。
また、ルアー本体１０の腹面（下面の略中央）には、フック状の腹部釣り針３１が取り付けられている。この場合、腹部釣り針３１は、その先端の取り付けリング７ａがルアー本体１０の下面に固定された係止環（図示を省略）に係止される。これによって、ルアー本体１０に対して揺動可能に取り付けられている。
また、ルアー本体１０の前端には、魚釣り用リールから繰り出される釣糸（ライン）が連結係止される釣糸係止部（図示を省略）が設けられている。
【００１９】
第一の実施形態に係るルアーは、ルアー本体１０の後部からルアー本体１０のほぼ長手方向に沿って所定の長さで延びる保持部材２０を有する。この保持部材２０は、ルアー本体１０の長手方向に沿う所定範囲内の任意の位置にフック状の移動釣針４を移動可能に保持するためのものである。この実施形態では、可撓性を有する棒状部材（線材）をループ状に折り曲げてルアー本体１０に取り付けることにより構成される。
【００２０】
図２に示すように、保持部材２０は、外力を受けない状態でそれ自体がルアー本体１０の長手方向に沿う直線的形態を自立的に保持し得る合成樹脂（例えば、天然ゴム、合成ゴムなどのエラストマー材料やウレタン系材料）などの可撓性材料の棒状体から形成する。棒状体の両端を溶着することで形成するのであるが、従来品とは異なる溶着を実行する。
【００２１】
図２の（ｂ）、（ｃ）、（ｄ）に示すように、保持部材２０は、二つの輪状体２２，２３を形成しつつ、その二つの輪状体２２，２３が離間するように溶着することで、比較的長い部位を溶着部２１としている。例えば、輪状体２２，２３の内径寸法と同等程度の長さを溶着部２１とする。そのため、溶着部２１によって形成される二つの輪状体２２，２３を一平面に納めやすく、捻れの発生を抑制できる。加えて、溶着部２１が大きいので、従来よりも強度が増している。
二つの輪状体のひとつである釣り針保持部２２が尾部側釣り針３０を保持し、長手方向に二分割される型に他方の輪状体である本体保持部２３が挟み込まれることでルアー本体１０へ固定される。すなわち、尾部側釣り針３０は、保持部材２０を介してルアー本体１０に接続されるのである。
【００２２】
尾部側釣り針３０は、保持部材２０の釣り針保持部２２がなすループ部分を移動できる。移動できることによって、ルアー本体１０の後方から捕食しにきた対象魚を、ルアー本体１０の後方に設けられた尾部側釣り針３０へ効率良く確実に針掛かりさせることに寄与し、捕食効果が高い。
保持部材２０が可撓性を備えた材質にて形成され、且つ尾部側釣り針３０が係った対象魚の動きに追従できるため、尾部側釣り針３０に掛かった魚が暴れても、保持部材２０がその動きに追従できる。そのため、無理な力が作用して身切れ等によって魚が尾部側釣り針３０から外れてしまうといった事態を減少させることに寄与する。
【００２３】
ルアー本体１０の腹部には、腹部釣り針３１を吊り下げるようにして固定している。この腹部釣り針３１は、尾部釣り針３０が保持部材２０の輪状内部（釣り針保持部２２）を動いて最も腹部釣り針３１に近づいたとしても、尾部釣り針３０と絡み合わないような位置へ固定されることが望ましい。
【００２４】
なお、腹部釣り針３１は、保持部材２０のような部材を介さずにルアー本体１０へ固定しているが、保持部材２０を介して固定するバリエーションを提供することを否定するものではない。
【００２５】
図３には、第二の実施形態を示す。
第一の実施形態との相違点は、保持部材２０の形状である。この保持部材２０には、前記の腹部釣り針３０が保持部材２０の長手方向に移動できる距離を制限するため、釣り針保持部２２の一部に規制部２４を備えている。この規制部２４は、釣り針保持部２２の下側に、下方へ突出するような部位として形成している。
この規制部２４の存在により、対象魚の種類や大きさによるが、尾部側釣り針３０へ効率良く確実に針掛かりさせることに寄与する。対象魚が暴れた場合などにおいて尾部側釣り針３０が前後方向には動きにくいためである。
【００２６】
なお、ルアー本体１０に対して、図３（ａ）に示すような規制部２４を備えた保持部材２０を採用する場合には、バス釣りに適している。  一方、ルアー本体１０に対して、図１に示すような規制部２４を備えていない保持部材２０を採用する場合には、ナマズ釣りに適している。
このように、ルアー本体１０を共通とし、保持部材２０を変更するだけでバス釣り用、ナマズ釣り用のルアーを提供することができるので、合理的である。
【符号の説明】
【００２７】
１０  ；ルアー本体                  １１  ；保持部材固定部
１２  ；抵抗板                      １３  ；保持部材固定部
２０  ；保持部材                    ２１  ；溶着部
２２  ；釣り針保持部                ２３  ；本体保持部
２４  ；規制部
３０  ；釣り針（尾部側釣り針）      ３１  ；釣り針（腹部釣り針）
【図１】
0003196689.tif 000003
【図２】
0003196689.tif 000004
【図３】
0003196689.tif 000005
【図４】
0003196689.tif 000006